(57)【特許請求の範囲】
【請求項１】
一端に電力を供給するリード線の端部を結合・封着してなる封着部を有する直管形の紫外線ランプを収納してなるジャケットが複数所定の間隔で平行配置され、該ジャケットの両端がその長手方向に直交して平行配置してなる１組の支柱にそれぞれ支持されてなる紫外線水処理装置において、
前記封着部を有する側と反対側の前記紫外線ランプの端部を弾性材で支持し、またそれと同じ側の前記ジャケットの端部の外側を保護筒で覆って構成し、さらに前記リード線を導入してなる支柱に充填剤を注入し、該支柱の内部を水密構造としたことを特徴とする紫外線水処理装置。
【請求項２】
前記紫外線ランプの端部を支持する前記弾性材は、それと同じ側の前記ジャケットの内端部と該紫外線ランプの端部との間に嵌着したコイルスプリングであり、また前記ジャケットの端部の外側を覆う前記保護筒は筒状の金属体であり、さらに該金属体を該ジャケットの端部と同じ側の前記支柱に嵌入支持したことを特徴とする請求項１記載の紫外線水処理装置。
【請求項３】
前記封着部を有する側の前記紫外線ランプの端部を包囲する前記ジャケットの端部を筒状ホルダーで覆い、該ホルダーの内部に該ジャケットの端部に当接させて径小の弾性リングを配置し、さらに該ジャケットの端部外面に適数の径大の弾性リングを嵌着したことを特徴とする請求項１記載の紫外線水処理装置。
【請求項４】
前記ジャケットに沿って移動する環状支持体の内側に、内方に向かって伸在するブラシを有する環状体を遊度を有して配置し、また該環状体が該ジャケットの外表面を移動するように構成したことを特徴とする請求項１ないし３記載の紫外線水処理装置。
【発明の詳細な説明】
【０００１】
【発明の属する技術分野】
本発明は紫外線水処理装置の改良に関する。
【０００２】
【従来の技術】
従来、下水あるいは工場廃水等の殺菌に、次亜塩素酸ナトリウムや次亜塩素酸カルシウムや液体塩素が用いられている。また下水あるいは工場廃水等の処理にジャケットに収納してなる紫外線ランプにより紫外線を照射し、殺菌することが行なわれている。
【０００３】
【発明が解決しようとする課題】
ところで、下水あるいは工場廃水等の処理に、次亜塩素酸ナトリウム等の塩素系の消毒剤を用いると副産物としてトリハロメタン等の有害物質が発生し易く、放流先の生態系に悪影響を及ぼす恐れがある。また塩素系の消毒剤を用いた殺菌法は紫外線を用いた殺菌法に比べ維持管理費が高くなる欠点がある。また紫外線ランプを用いる方法によると、紫外線ランプをジャケットの内部に収納して複数本処理水の内部に配置し実施するため、一部の防水性が破壊した場合装置全体が使用できなくなる欠点がある。また紫外線ランプを処理水の内部に配置するため、処理水の流れが速い場合は、ジャケットの内部に収納してなる紫外線ランプが振動するため、ランプが破損する恐れがある。また紫外線ランプを収納するジャケットに、処理水に含まれる鉄、マンガン、珪素、アルミニウム等が付着し紫外線の透過率が低下するため、周期的にジャケットの外表面を清掃する必要がある。
【０００４】
本発明は上記の点に鑑み発明したものであって、有害物質が発生することがなく、また装置の防水性を高め、また装置の振動を効果的に吸収することができ、さらにジャケットの外表面を効果的に清掃することができ、従って装置を確実に保全管理することができる紫外線水処理装置を提供することを目的とする。
【０００５】
【課題を解決するための手段】
本発明は上記課題を解決するために次の構成とする。つまり請求項１に記載の発明は、直管形の紫外線ランプを収納してなるジャケットが複数所定の間隔で平行配置され、該ジャケットの両端がその長手方向に直交して平行配置してなる１組の支柱にそれぞれ支持されてなる紫外線水処理装置に関する。前記紫外線ランプは一端に電力を供給するリード線の端部を結合・封着してなる封着部を有している。そして、該封着部を有する側と反対側の前記紫外線ランプの端部を弾性材で支持し、またそれと同じ側の前記ジャケットの端部の外側を保護筒で覆って構成し、さらに前記リード線を導入してなる支柱に充填剤を注入し、該支柱の内部を水密構造としてある。
【０００６】
請求項２に記載の発明は、請求項１記載の紫外線水処理装置において、前記紫外線ランプの端部を支持する前記弾性材を、それと同じ側の前記ジャケットの内端部と該紫外線ランプの端部との間に嵌着したコイルスプリングとし、また該ジャケットの端部の外側を覆う前記保護筒を筒状の金属体とし、さらに該金属体を該ジャケットの端部と同じ側の前記支柱に嵌入支持して構成してある。同紫外線水処理装置によると、水の流れによる振動を吸収することができる。
【０００７】
請求項３に記載の発明は、請求項１記載の紫外線水処理装置において、前記封着部を有する側の前記紫外線ランプの端部を包囲する前記ジャケットの端部を筒状ホルダーで覆い、該ホルダーの内部に該ジャケットの端部に当接させて径小の弾性リングを配置し、さらに該ジャケットの端部外面に適数の径大の弾性リングを嵌着して構成してある。同紫外線水処理装置によると、防水性を増大することができる。
【０００８】
請求項４に記載の発明は、請求項１ないし３記載の紫外線水処理装置において、前記ジャケットに沿って移動する環状支持体の内側に、内方に向かって伸在するブラシを有する環状体を遊度を有して配置し、また該環状体が該ジャケットの外表面を移動するように構成してある。同紫外線水処理装置によると、装置の防振性や防水性が向上することに加えて、ジャケットの外表面を簡単に清掃することができるため、装置を確実に保全管理することができる。
【０００９】
【発明の実施の形態】
以下本発明の紫外線水処理装置を図１ないし図７について説明する。図１において、１は装置の両端に平行配置してなる１組の支柱であって、例えばステンレス材で構成してある。２は両端の支柱１、１を繋ぐ横軸であって、紫外線水処理装置を立体的に構成する。４は内部に直管形の紫外線ランプ３（図１では図示せず）を収納するジャケットであって、例えば石英ガラスで構成してあり、支柱１、１で両端を支持し、例えば図１に示すように、縦方向に４本平行配置する。各ジャケットの間隔は例えば８ｃｍ程度に構成する。紫外線ランプ３は、例えば６５ワットの低圧放電ランプを用いる。
【００１０】
図７に示す装置は、縦方向に配置した４本のジャケット４からなるユニットを例えば並べて三連設けて構成してある。内部に直管形の紫外線ランプ３を収納するジャケット４の数は、処理水の量により適宜増減させる。また図７に示すように、開閉蓋１４を開くことにより４本単位でランプ交換、内部の修理をすることができる。
【００１１】
図３は直管形の紫外線ランプの一端の支持部の構造を示す。図３において、５はジャケット４に収納してなる紫外線ランプ３の端部に嵌着してなる弾性材であって、例えば外端に向かって径小のコイルスプリングを用いて構成してある。またコイルスプリングの代わりに板ばねを用いて構成してもよい。６はジャケット４の外端部に嵌着してなる保護筒であって、金属あるいは樹脂で構成し、支柱に設けてなる支持孔に嵌入して構成する。同構造によると、処理水が流速０．２ｍ／ｓ程度で流れても、弾性材で振動を吸収することができ、紫外線ランプに影響を与えることがない。
【００１２】
図４は直管形の紫外線ランプの他端の支持部の構造を示す。図４において、１６はリード線１０の端部を結合・封着してなる封着部、７はジャケット４に収納してなる紫外線ランプ３の端部の封着部１６を覆ってなる筒状のホルダーであって、例えばステンレス材で構成してあり、支柱１に嵌入させる端部は先細りの形状にしてある。８はホルダー７の内部にジャケット４の端部に当接させて配置してなる径小の弾性リングであって、例えばゴム材で構成してある。９はジャケット４の外端部に嵌着してなる適数の径大の弾性リングであって、例えばゴム材で構成してある。１は支持部の支柱を示す。同構造の支持構造によると、ジャケット内部及び支柱内部に対する防水性を高めることができる。
【００１３】
図４において、紫外線ランプ３の一端に接続してなるリード線１０を支柱１の中空部に導入して構成してある。また同支柱１の中空部にリード線１０を導入後、エポキシ樹脂等の充填剤を注入し固着して構成し、水密構造としてある。
【００１４】
図５および図６はジャケットの外表面の清掃部の構造を示す。同図において、１１は各ジャケット４に沿って移動自在に嵌着してなる環状支持体であって、その内側に内方に向かって伸在するブラシを有して構成してある。同ブラシ１２は例えばステンレス材で構成してある。１３は横軸２に沿って移動するように構成してなる可動体であって、切欠部に環状支持体１１を遊度を有して構成してある。同構造によると、環状支持体１１が可動体１３に対して遊度を有して構成してあるので、ジャケットが若干歪曲していたり傾斜して支持されていてもジャケットに対して環状支持体１１がスムーズに移動し、ジャケット表面の汚れを除去することができる。１５は可動体１３を前後動するための駆動軸である。
【００１５】
次に上記した紫外線水処理装置の実施例について説明する。上記した紫外線水処理装置を下水の処理槽の内部あるいは下水が流れる側溝の内部に設置する。例えば６５ワットの紫外線ランプを図２に示すように４本縦方向に設置する。この場合、一本の紫外線ランプの処理水の量は、２４時間点灯した場合、１００トンである。同装置によると、殺菌率は表１の通りである。
【００１６】
【表１】
0003852626.tif 000002
本発明による紫外線水処理装置によると、大腸菌群数、一般細菌数、腸球菌数については、９９％を超える率で殺菌することができ、また紫外線に弱いバクテリオファージは滅菌することができる。
【００１７】
【発明の効果】
上記した請求項１に記載の発明によると、薬品を使用することがないので有害物質が発生することがなく、また防水性を高め、振動を効果的に吸収することができる特別の効果がある。
【００１８】
請求項２に記載の発明によると、水の流れによる紫外線ランプとジャケットの振動を効果的に吸収することができる。
【００１９】
請求項３に記載の発明によると、防水性を高めることができる特別の効果がある。
【００２０】
請求項４に記載の発明によると、装置の防振性や防水性が向上することに加えて、ジャケットの外表面を効果的に清掃することができるため、装置を確実に保全管理することができる特別の効果がある。
【図面の簡単な説明】
【図１】本発明に係る紫外線水処理装置の正面図。
【図２】図１の紫外線水処理装置における側面図。
【図３】図１の紫外線水処理装置における一端のランプ支持部の一部断面図。
【図４】図１の紫外線水処理装置における他端のランプ支持部の一部断面図。
【図５】本発明に係る紫外線水処理装置のジャケット清掃部の構造を説明するための一部正面図。
【図６】本発明に係る紫外線水処理装置のジャケット清掃部の構造を説明するための一部側面図。
【図７】本発明の紫外線水処理装置の他の実施例を示す側面図。
【符号の説明】
１  支柱
２  横軸
３  紫外線ランプ
４  ジャケット
５  弾性材
６  保護筒
７  筒状のホルダー
８  径小の弾性リング
９  径大の弾性リング
１０  リード線
１１  環状支持体
１２  ブラシ
１３  可動体
１４  開閉蓋
１５  駆動軸
１６  封着部
【図１】
0003852626.tif 000003
【図２】
0003852626.tif 000004
【図３】
0003852626.tif 000005
【図４】
0003852626.tif 000006
【図５】
0003852626.tif 000007
【図６】
0003852626.tif 000008
【図７】
0003852626.tif 000009